(57)【要約】【課題】監視装置のモード切替を自動的に行うエスカレータの監視装置を提供することを目的とする。【解決手段】監視装置１２は、エスカレータトラス入口の開閉によるトラス内の照度変化を検出する光センサ２０、外部スイッチ１８の切替忘れの警告を行う警告装置２２を備える。光センサ２０は、例えば、照度センサ２０で構成される。保守員が、保守点検のためにふた５４を開けると、照度センサ２０はトラス５２内の照度変化を検出し、ＯＮ信号を出力する。このＯＮ信号は、監視装置１２に入力され、監視装置１２は、これを保守点検の状態と判断し、監視装置１２を保守モードに切り替える。保守員がふた５４を閉めると、照度センサ２０はトラス５２内の照度変化を検出し、ＯＦＦ信号を出力する。ＯＦＦ信号は監視装置１２に入力され、監視装置１２は、保守点検が終了したと判断し、監視モードに切り替える。【選択図】　　　　図１
2004043075.tif 000002
【特許請求の範囲】
【請求項１】
遠隔の監視センターに回線を介して接続されるエスカレータの監視装置であって、
エスカレータトラス入口の開閉によるトラス内の照度変化を検出する光センサと、
光センサの検出状態に応じて、エスカレータの異常発生時に監視センターに通報する監視モードと、エスカレータの監視を停止する保守モードと、を切り替える切替制御手段と、
を備えることを特徴とするエスカレータの監視装置。
【請求項２】
請求項１に記載のエスカレータの監視装置であって、
トラスの外部に設けられ、監視モードと保守モードとを手動で切り替える外部スイッチを備えることを特徴とするエスカレータの監視装置。
【請求項３】
請求項２に記載のエスカレータの監視装置であって、
前記切替制御手段は、外部スイッチが監視側に切り替えられており、前記光センサがトラス入口の閉状態における照度を検出し、前記エスカレータが所定時間運転した場合に、保守モードから監視モードに切り替えることを特徴とするエスカレータの監視装置。
【請求項４】
請求項２に記載のエスカレータの監視装置であって、
前記外部スイッチの切替忘れの警告を行う警告手段を備え、
前記警告手段は、前記光センサがトラス入口の閉状態における照度を検出し、前記外部スイッチが、保守側に切り替えられている場合に、警告を行うことを特徴とするエスカレータの監視装置。
【請求項５】
請求項２に記載のエスカレータの監視装置であって、
前記切替制御手段は、前記光センサがトラス入口の閉状態における照度を所定時間検出し、前記外部スイッチが保守側に切り替えられている場合に、保守モードから監視モードに切り替えると共に、前記監視センターに前記外部スイッチの切替忘れを通報することを特徴とするエスカレータの監視装置。
【請求項６】
請求項１に記載のエスカレータの監視装置であって、
トラス入口に外光を取り入れる照明窓を備えたことを特徴とするエスカレータの監視装置。
【発明の詳細な説明】
【０００１】
【発明の属する技術分野】
本発明は、エスカレータの監視装置、特に、遠隔の監視センターに回線を介して接続されるエスカレータの監視装置に関する。
【０００２】
【従来の技術】
図５は、エスカレータ全体の構成を示す図である。図５に示すように、エスカレータ５０は建物の上階と下階との間に亘って据え付けられたトラス５２を含む。このトラス５２内に多数のステップからなるステップ列を組み込み、このステップ列を駆動装置で走行させてステップに乗り込んだ乗客を搬送するようになっている。トラス５２の上階側及び下階側の床面（乗客のステップへの昇降口となっている）には、トラス５２内への入口として、開閉可能なふた５４が形成されている。
【０００３】
また、このエスカレータ５０には、エスカレータの遠隔監視システム５６が備えられている。例えば、図５に示すように、トラス５２の上階側の機械室内に、監視装置５８が備えられ、監視装置５８には、エスカレータの異常を検出する複数の安全装置（図示せず）の状態信号及びエスカレータの運転を制御する制御盤６０の運転信号が入力され、エスカレータ５０の状態を監視している。この監視装置５８は、公衆回線６２を介して遠隔の監視センター６４にエスカレータ５０の異常を通報する。
【０００４】
図６は、監視装置５８の拡大図である。監視装置５８には、手動切替スイッチ６６が設けられており、手動切替スイッチ６６は、監視装置５８の監視モードと保守モードとを切り替える。ここで、監視モードとは、エスカレータの状態を監視し、エスカレータの異常を監視センターに通報するモードであり、保守モードは、エスカレータの監視を停止するモードである。
【０００５】
監視センター６４は、エスカレータ５０の異常を受信すると、エスカレータ５０の管理者に連絡すると共に、異常に対して対処が必要な場合には、保守員に連絡を行う。
【０００６】
保守員は、エスカレータ５０のふた５４からトラス内に入り、手動切替スイッチ６６を保守側に切り替えて監視装置５８を保守モードにし、保守点検中の監視センター６４への不要な通知を防止する。保守点検後、保守員は、手動切替スイッチ６６を監視側に切り替え、監視装置５８を監視モードに戻し、エスカレータ５０を監視状態に切り替える。
【０００７】
【発明が解決しようとする課題】
上述したように、エスカレータに異常が発生して保守点検を行う場合や定期的な保守点検時には、監視装置５８の手動切替スイッチ６６を保守側に切り替えなければならない。
【０００８】
しかし、保守点検前に、保守員が手動切替スイッチ６６の保守側への切り替えを忘れ、保守点検中に監視センター６４に不要な通報が行われてしまうという問題があった。
【０００９】
また、保守点検後に、保守員が手動切替スイッチ６６を監視側に戻すのを忘れ、エスカレータが無監視状態になるという問題があった。
【００１０】
そこで本発明は、上記課題を解決するためになされたもので、監視装置のモード切替の人的ミスを防止し、監視装置のモード切替を自動的に行うエスカレータの監視装置を提供することを目的とする。
【００１１】
【課題を解決するための手段】
本発明のエスカレータの監視装置は、遠隔の監視センターに回線を介して接続されるエスカレータの監視装置であって、エスカレータトラス入口の開閉によるトラス内の照度変化を検出する光センサと、光センサの検出状態に応じて、エスカレータの異常発生時に監視センターに通報する監視モードと、エスカレータの監視を停止する保守モードと、を切り替える切替制御手段と、を備えることを特徴とする。
【００１２】
また、本発明のエスカレータの監視装置は、トラスの外部に設けられ、監視モードと保守モードとを手動で切り替える外部スイッチを備えることを特徴とする。
【００１３】
更に、本発明のエスカレータの監視装置の前記切替制御手段は、外部スイッチが監視側に切り替えられており、前記光センサがトラス入口の閉状態における照度を検出し、前記エスカレータが所定時間運転した場合に、保守モードから監視モードに切り替えることを特徴とする。
【００１４】
更に、本発明のエスカレータの監視装置は、前記外部スイッチの切替忘れの警告を行う警告手段を備え、前記警告手段は、前記光センサがトラス入口の閉状態における照度を検出し、前記外部スイッチが、保守側に切り替えられている場合に、警告を行うことを特徴とする。
【００１５】
更に、本発明のエスカレータの監視装置の前記切替制御手段は、前記光センサがトラス入口の閉状態における照度を所定時間検出し、前記外部スイッチが保守側に切り替えられている場合に、保守モードから監視モードに切り替えると共に、前記監視センターに前記外部スイッチの切替忘れを通報することを特徴とする。
【００１６】
更に、本発明のエスカレータの監視装置は、トラス入口に外光を取り入れる照明窓を備えたことを特徴とする。
【００１７】
【発明の実施の形態】
以下、本発明の好適な実施の形態（以下、実施形態という）について、図面を参照し説明する。なお、上述した従来の構成要素と同一又は相当部材には同一の符号を付している。
【００１８】
実施形態１．
図１は、実施形態１のエスカレータの監視装置を適用したエスカレータの遠隔監視システムを示す模式図である。
【００１９】
図１に示すように、エスカレータ５０は、トラス５２を備え、トラス５２の上階側及び下階側の床面には、トラス５２への入口（エスカレータトラス入口）として、開閉可能なふた５４が形成されている。
【００２０】
エスカレータの遠隔監視システム１０は、エスカレータの異常を検出するエスカレータの監視装置１２（以下、監視装置１２という）と、公衆回線１４を介して接続され、監視装置１２からのエスカレータの異常を受信する遠隔の監視センター１６と、で構成されている。監視装置１２には、異常を検出する複数の安全装置（図示せず）の状態信号及びエスカレータの運転を制御する制御盤６０の運転信号が入力され、エスカレータ５０を監視する。監視装置１２は、監視モードと保守モードとを切り替える外部スイッチ１８を備えており、本実施形態においては、トラス５２の外部、トラス５２の上階側のふた５４付近に設けられている。ここで、監視モードとは、エスカレータの状態を監視し、エスカレータの異常を監視センターに通報するモードであり、保守モードは、エスカレータの監視を停止するモードである。本実施形態において特徴的なことは、監視装置１２は、エスカレータトラス入口の開閉によるトラス内の照度変化を検出する光センサ２０、外部スイッチ１８の切替忘れの警告を行う警告装置２２を備えている点である。これにより、保守員の保守点検時の外部スイッチ１８の切替ミスを防止することができる。
【００２１】
以下、詳細に説明する。
【００２２】
光センサ２０は、本実施形態においては、照度センサ２０で構成されており、トラス５２内の上階側及び下階側の機械室２４に設けられている。照度センサ２０は、エスカレータトラス入口の開閉によるトラス内の照度変化を検出し、検出信号を監視装置１２に出力する。監視装置１２は、照度センサ２０の検出状態に応じて、監視装置１２のモードを切り替える。これにより、保守員が外部スイッチ１８の切替を忘れた場合にも自動的に適切なモードに切り替えることができる。
【００２３】
本実施形態において、照度センサ２０は、ふた５４が開状態における明照度を検出した場合にＯＮ信号を出力し、ふた５４が閉状態における暗照度を検出した場合にＯＦＦ信号を出力する。例えば、保守員が、保守点検のためにふた５４を開けると、照度センサ２０はトラス５２内の照度変化を検出し、ＯＮ信号を出力する。このＯＮ信号は、監視装置１２に入力され、監視装置１２は、これを保守点検の状態と判断し、監視装置１２を保守モードに切り替える。また、保守員がふた５４を閉めると、照度センサ２０はトラス５２内の照度変化を検出し、ＯＦＦ信号を出力する。ＯＦＦ信号は監視装置１２に入力され、監視装置１２は、保守点検が終了したと判断し、監視モードに切り替える。この結果、監視装置１２のモード切替の人的ミスを防止することができる。なお、本実施形態においては、ふた５４の開閉によるトラス５２内の照度変化を検出する光センサとして、照度センサ２０を用いているが、トラス５２内の照度を検出し、これに応じた検出信号を出力できれば他のセンサであってもよい。
【００２４】
警告装置２２は、例えば、ブザー、スピーカ、表示装置等で構成することができ、本実施形態においては、ブザー２２が設けられている。上述したように、照度センサ２０がトラス５２内の照度変化を検出するので、例えば、外部スイッチ１８の切替状態がトラス５２内の照度変化と一致しない場合には、外部スイッチ１８の切替忘れを警告することができる。
【００２５】
図２は、エスカレータの遠隔監視システム１０の全体構成を示す図である。
【００２６】
監視装置１２は、各種処理を行い全体を制御する制御部２６と、制御部２６の処理結果を監視センター１６に通報する送受信部２８と、を有している。
【００２７】
制御部２６は、通常ＣＰＵ、ＲＯＭ、ＲＡＭ等で構成される。制御部２６には、複数の安全装置（図示せず）の状態信号、制御盤６０の運転信号、外部スイッチ１８の入力信号、照度センサ２０の検出信号が入力される。本実施形態において、制御部２６は、監視装置１２のモードを切り替える切替制御手段として機能し、制御部２６は、照度センサ２０の検出信号、制御盤６０の運転信号、外部スイッチ１８の入力信号により、監視装置１２の監視モードか保守モードとを切り替える。また、制御部２６は、外部スイッチ１８の切替状態がトラス５２内の照度変化と一致しない場合には、ブザー２２を制御し切替忘れを警告する。
【００２８】
送受信部２８は、監視センター１６と通信するための回路であり、例えばモデムで構成される。送受信部２８は、エスカレータ５０の異常を監視センター１６に送信し、本実施形態においては、特に外部スイッチ１８の切替忘れを通報する。
【００２９】
次に、本実施形態のエスカレータの遠隔監視システムの全体作用について説明する。図３は、エスカレータの遠隔監視システムの全体作用を示すフローチャートである。
【００３０】
エスカレータ５０の通常の運行時には、監視装置１２は監視モードに設定されている（Ｓ１０）。外部スイッチ１８が監視側に切り替えられており（Ｓ１２でＹＥＳ）、照度センサ２０がＯＦＦ信号を出力している場合には（Ｓ１４でＮＯ）、監視装置１２の制御部２６は、監視装置１２を監視モードに維持する。照度センサ２０がＯＮ信号を出力すると（Ｓ１４でＹＥＳ）、監視装置１２の制御部２６は、監視装置１２を監視モードから保守モードに切り替える（Ｓ１６）。これにより、保守員が保守点検時に外部スイッチ１８の切替を忘れた場合にも自動的に適切なモードに切り替えることができる。なお、外部スイッチ１８が監視側から保守側に切り替えられた場合には（Ｓ１２でＮＯ）、制御部２６は、監視装置１２を監視モードから保守モードに切り替える（Ｓ１６）。本実施形態において、外部スイッチ１８はトラス５２の外部に設けられているので、トラス５２の外で行う保守点検の場合には、ふた５４を開けることなく、監視装置１２を保守モードにすることができる。
【００３１】
保守点検が終了し、保守員がふた５４を閉め、照度センサ２０がＯＦＦ信号を出力すると（Ｓ１８でＹＥＳ）、制御部２６は、外部スイッチ１８が保守側に切り替えられているか判断する（Ｓ２０）。外部スイッチ１８が保守側に切り替えられたままの場合（Ｓ２０でＹＥＳ）、制御部２６は、外部スイッチ１８の切替忘れを警告する（Ｓ２２）。本実施形態においては、ブザー２２を鳴らして、保守員の切替忘れを防止することができる。外部スイッチ１８が監視側に切り替えられた場合（Ｓ２０でＮＯ、Ｓ２４でＹＥＳ）、制御部２６は、制御盤６０からの運転信号によりエスカレータ５０が所定時間運転してしているか否か判断する（Ｓ２６）。エスカレータ５０が所定時間、例えば５分運転している場合には（Ｓ２６でＹＥＳ）、制御部２６は、監視装置１２を監視モードに切り替える（Ｓ２８）。Ｓ２６において、エスカレータ５０の運転時間を判断するのは、エスカレータ５０の運行時間外における不要な監視モードへの切替を防止するためである。
【００３２】
外部スイッチ１８が監視側に切り替わっていない場合には（Ｓ２４でＮＯ）、制御部２６は、照度センサ２０がＯＦＦ信号を所定時間出力しているか判断する（Ｓ３０）。例えば、照度センサ２０が１時間とか２時間ＯＦＦ信号を出力している場合には（Ｓ３０でＹＥＳ）、制御部２６は、送受信部２８を介して監視センター１６へ外部スイッチ１８の切替忘れを通報する（Ｓ３２）。そして、制御部２６は、監視装置１２のモードを監視モードに切り替える（Ｓ２８）。これにより、保守点検終了後、保守員が外部スイッチ１８の切替を忘れた場合にも自動的に適切なモードに切り替えることができる。
【００３３】
実施形態２．
図４は、実施形態２のエスカレータの監視装置を示す図である。特に説明しない限り、実施形態２のエスカレータの監視装置は、実施形態１と同様の構成要素を有し、その説明を省略する。実施形態２において特徴的な点は、図４に示すように、ふた５４に外光を取り入れる照明窓３０が設けられている点である。
【００３４】
この照明窓３０は、鍵付きの開閉可能な窓として構成されている。照明窓３０は、その開閉によりトラス５２内に外光を取り入れることができる。照度センサ２０は、この照明窓３０の開閉によるトラス５２内の照度変化をエスカレータトラス入口の開閉によるトラス内の照度変化として検出し、検出信号を監視装置１２に出力する。検出信号は、実施形態１と同様に、制御部２６に入力され、制御部２６は、監視装置１２のモードを切り替えることができる。これにより、例えば実施形態１の外部スイッチ１８を不要にすることができる。すなわち、トラス５２の外で行う保守点検の場合には、照明窓３０の開閉により、監視装置１２のモードを切り替えることができる。この結果、外部スイッチ１８のいたずらによる監視装置１２のモード切替を防止することができる。
【００３５】
本実施形態は、エスカレータの監視装置について説明したが、本実施形態の監視装置を移動歩道に適用しても良い。
【００３６】
【発明の効果】
以上説明したように、本発明によれば、光センサを設けてトラス入口の開閉によるトラス内の照度変化を検出することとしたので、監視装置を適切なモードに切り替えることができる。
【図面の簡単な説明】
【図１】実施形態１のエスカレータの監視装置を適用したエスカレータの遠隔監視システムを示す模式図である。
【図２】エスカレータの遠隔監視システムの全体構成を示す図である。
【図３】エスカレータの遠隔監視システムの全体作用を示すフローチャートである。
【図４】実施形態２のエスカレータの監視装置を示す図である。
【図５】エスカレータ全体の構成を示す図である。
【図６】監視装置の拡大図である。
【符号の説明】
１０　エスカレータの遠隔監視システム、１２　エスカレータの監視装置、１４　公衆回線、１６　監視センター、１８　外部スイッチ、２０　照度センサ（光センサ）、２２　ブザー（警告装置）、２４　機械室、２６　制御部、２８　送受信部、３０　照明窓、５０　エスカレータ、５２　トラス、５４　ふた。
【図１】
2004043075.tif 000003
【図２】
2004043075.tif 000004
【図３】
2004043075.tif 000005
【図４】
2004043075.tif 000006
【図５】
2004043075.tif 000007
【図６】
2004043075.tif 000008